(57)【特許請求の範囲】
【請求項１】
カセットシェル内にテープ状記録媒体を収納して成る記録媒体カセットに対する記録及び／又は再生を行う記録又は再生装置であって、
回転ヘッドドラムを備えテープ状記録媒体に対する記録及び／又は再生を行う記録再生機構部と、
記録媒体カセットを保持して上記記録再生機構部に接近しテープ状記録媒体に対する記録及び／又は再生を行う記録再生位置と記録再生機構部から離間した待機位置との間を移動するカセット保持部材と、
互いに同期して移動されテープ状記録媒体をカセットシェルから引き出して上記回転ヘッドドラムに巻き付ける２個一対のテープ引出ガイドと、
先端部に上記テープ引出ガイドが各別に連結され回動動作によりテープ引出ガイドを移動させる２個一対の駆動アームと、
上記記録再生機構部に互いに離間して回転自在に且つ上記駆動アームの基端部に設けられ回転動作により駆動アームを回動させる２個一対の同期ギヤと、
上記カセット保持部材に設けられ上記同期ギヤと各別に噛合された２個一対のラックとを備え、
上記カセット保持部材の長手方向における中央部にほぼ矩形をした突出部が形成され、該突出部はその両側縁に上記２個一対のラックが形成されるとともに、その中央部にスライドシャーシ移動用のカム孔が形成され、
カセット保持部材が記録媒体カセットを保持して待機位置から記録再生位置へと移動する間に上記ラックが同期ギヤを回転させることによって駆動アームを回動させてテープ引出ガイドを移動させ、該テープ引出ガイドがテープ状記録媒体をカセットシェルから引き出して上記回転ヘッドドラムに巻き付ける
ことを特徴とする記録又は再生装置。
【発明の詳細な説明】
【０００１】
【発明の属する技術分野】
本発明は新規な記録又は再生装置に関する。詳しくは、テープ状記録媒体をカセットシェル内に収納して成る記録媒体カセットを保持して記録再生機構部に接近しテープ状記録媒体に対する記録及び／又は再生を行う記録再生位置と記録再生機構部から離間した待機位置との間を移動するカセット保持部材を備えた記録又は再生装置にあって、機構の簡単化と小型化を図る技術に関する。
【０００２】
【従来の技術】
テープ状記録媒体をカセットシェル内に収納して成る記録媒体カセットを保持して上記記録再生機構部に接近しテープ状記録媒体に対する記録及び／又は再生を行う記録再生位置と記録再生機構部から離間した待機位置との間を移動するカセット保持部材を備えた記録再生装置がある。
【０００３】
そのような記録再生装置の一例ａを図１３及び図１４に示す。
【０００４】
記録再生装置ａは、メインシャーシｂと該メインシャーシｂに対して離接自在に移動するスライドシャーシｃを備え、メインシャーシｂは回転ヘッドドラムｄ、テープ引出ガイドｅ、ｅ等を備え、テープ状記録媒体に対する記録及び再生を行う記録再生機構部を構成している。スライドシャーシｃは、図示しない記録媒体カセットを保持してメインシャーシｂに近接してテープ状記録媒体に対する記録及び再生を行う記録再生位置とメインシャーシｂから離間した待機位置との間を移動するカセット保持部材を構成している。
【０００５】
テープ引出ガイドｅ、ｅはテープ状記録媒体を記録媒体カセットから引き出して回転ヘッドドラムｄに巻き付けるものであり、互いに噛合した同期ギヤｆ、ｆが基端部に固定された引出アームｇ、ｇの先端に支持されており、同期ギヤｆ、ｆが反対方向に同期回転することによって回動する引出アームを介して移動するようになっている。
【０００６】
メインシャーシｂに固定された駆動源であるモータｈの駆動力がギヤ列ｉを介してリニアスケートアームｊに伝達される。リニアスケートアームｊはメインシャーシｂに回動自在に支持されており、上記モータｈの駆動力によって回動するようになっている。
【０００７】
上記リニアスケートアームｊに設けられた連結ピンｋがスライドシャーシｃに設けられた連結溝ｌに係合しており、従って、リニアスケートアームｊが回動することによってスライドシャーシｃがメインシャーシｂに離接するように移動する。
【０００８】
また、メインシャーシｂにほぼ前後方向に移動するように支持されたテープガイドスライダーｍが上記リニアスケートアームｊの回動によって移動されるようになっており、該テープガイドスライダーｍに形成されたラックｎが上記同期ギヤｆ、ｆの一方と噛合されている。従って、テープガイドスライダーｍが前後方向に移動することによって、同期ギヤｆ、ｆが回転され、これによってテープ引出ガイドｅ、ｅが移動するようになっている。
【０００９】
従って、モータｈが一の方向に回転すると、スライドシャーシｃが記録再生位置に向かって移動すると共にテープ引出ガイドｅ、ｅがテープ状記録媒体をカセットシェルから引き出して回転ヘッドドラムｄに巻き付ける方向に移動する。また、モータｈが他の方向に回転すると、テープ引出ガイドｅ、ｅがテープ状記録媒体を引き出す場合と逆の方向に移動すると共にスライドシャーシｃが待機位置に向かって移動する。
【００１０】
【発明が解決しようとする課題】
上記した従来の記録再生装置ａにあっては、モータｈの駆動力をスライドシャーシｃの移動とテープ引出ガイドｅ、ｅの移動とに使用するのに、リニアスケートアームｊ及びテープガイドスライダーｍが必要であり、部品点数が多くなりコスト高となると共に、部品配置のスペースの確保等のため小型化に限度があるという問題がある。
【００１１】
また、テープ引出ガイドｅ、ｅを移動させるための引出アームｇ、ｇの基端部に設けられた同期ギヤを互いに噛合させなければならず、また、引出アームｇ、ｇが回動中に重なってしまう惧がある範囲が広いため、部品配置に制限が生じ、この点でも装置の小型化が阻害されるという問題がある。
【００１２】
そこで、本発明は、部品点数を減少させて機構の簡単化及び低価格化を図ると共に装置の小型化を可能にすることを課題とする。
【００１３】
【課題を解決するための手段】
本発明記録又は再生装置は、上記した課題を解決するために、回転ヘッドドラムを備えテープ状記録媒体に対する記録及び／又は再生を行う記録再生機構部と、記録媒体カセットを保持して上記記録再生機構部に接近しテープ状記録媒体に対する記録及び／又は再生を行う記録再生位置と記録再生機構部から離間した待機位置との間を移動するカセット保持部材と、互いに同期して移動されテープ状記録媒体をカセットシェルから引き出して上記回転ヘッドドラムに巻き付ける２個一対のテープ引出ガイドと、先端部に上記テープ引出ガイドが各別に連結され回動動作によりテープ引出ガイドを移動させる２個一対の駆動アームと、上記記録再生機構部に互いに離間して回転自在に且つ上記駆動アームの基端部に設けられ回転動作により駆動アームを回動させる２個一対の同期ギヤと、上記カセット保持部材に設けられ上記同期ギヤと各別に噛合された２個一対のラックとを備え、上記カセット保持部材の長手方向における中央部にほぼ矩形をした突出部が形成され、該突出部はその両側縁に上記２個一対のラックが形成されるとともに、その中央部にスライドシャーシ移動用のカム孔が形成され、カセット保持部材が記録媒体カセットを保持して待機位置から記録再生位置へと移動する間に上記ラックが同期ギヤを回転させることによって駆動アームを回動させてテープ引出ガイドを移動させ、該テープ引出ガイドがテープ状記録媒体をカセットシェルから引き出して上記回転ヘッドドラムに巻き付けるようにしたものである。
【００１４】
従って、本発明記録又は再生装置にあっては、従来必要であったリニアスケートアームやテープガイドスライダーが必要でなく、部品点数が減少し機構が簡単になると共に低価格で製造することができる。また、テープ引出ガイドを移動させるための駆動アームの回動支点となる基端部を互いに離間して配置することができるので、設計上の自由度が増大し、装置の小型化が可能になる。
【００１５】
【発明の実施の形態】
以下に、本発明記録又は再生装置の実施の形態を添付図面を参照して詳細に説明する。なお、添付図面に示した記録又は再生装置は、記録媒体として磁気テープをカセットシェル内に収納して成るテープカセットを使用して磁気テープに対する記録及び再生を行うものである。
【００１６】
先ず、本発明に係る記録又は再生装置において使用するテープカセットについて説明する。
【００１７】
テープカセット１０は、薄い箱状をしたカセットシェル２０内に磁気テープ３０を巻装したテープリール４０、５０が回転可能に収納され、カセットシェル２０の前面に沿って位置する磁気テープ３０の一部の前面側を覆うフロントリッド６０及び該磁気テープ３０の後側を覆うバックリッド７０を備え、そして、上記バックリッド７０はカセットシェル２０に前後方向に移動自在に支持されたスライダー８０の前端に一体に形成され、また、上記フロントリッド６０は上記スライダー８０に回動自在に支持されている。
【００１８】
カセットシェル２０は薄い箱状を為し、プラスチックスで形成されていて、カセットシェル２０の前部にはマウス部と称される大きな凹部２１が形成されている。該マウス部２１は前方並びに上方及び下方に開口されている。そして、磁気テープ３０の一部が上記マウス部２１の前面に沿って位置している。
【００１９】
カセットシェル２０の底板にはリール台挿通孔２２、２２が形成されており、テープカセット１０が記録再生装置に装着されたときに記録再生装置に設けられたリール台が該リール台挿通孔２２、２２を通ってカセットシェル２０内に挿入され、該リール台に設けられたリール係合軸が上記テープリール４０、５０に下面に開口するように形成されたリール台係合孔４１、５１に係合される。
【００２０】
フロントリッド６０の左側の側面部６１の内側にはリッドロック部材９０が配設されていて、該リッドロック部材９０は不使用時にフロントロッド６０を磁気テープ３０の前面を覆った閉塞位置にロックするようになっている。
【００２１】
記録再生装置１００は、メインシャーシ１１０、スライドシャーシ１２０、移動フレーム１３０及びカセットホルダー１４０を備える。そして、これら各部材が図示しない外筐に収納されている。
【００２２】
メインシャーシ１１０は、回転ヘッドドラム１５０、テープ引出ガイド１６０、１６０等磁気テープ３０をカセットシェル２０から引き出して所定のテープパスを形成して走行させるため等の主要な機構を備え、テープカセット１０に対する記録及び再生を行う記録再生機構部１７０を構成する。
【００２３】
テープ引出ガイド１６０は、スライドベース１６１の上に回転可能なガイドローラ１６２及び傾斜ガイド１６３が立設されて成る。
【００２４】
上記テープ引出ガイド１６０、１６０はスライドレール１８０によって案内されて移動されるようになっている。スライドレール１８０は２本のレール部１８１、１８１が前側から後方へ向かってほぼＶ字型に開いた形状をしており、各レール部１８１、１８１に案内スリット１８２、１８２が形成されている。そして、該スライドレール１８０は、レール部１８１、１８１が回転ヘッドドラム１５０の前側から中央やや後ろ寄りの両脇にかけて各別に位置するように、メインシャーシ１１０に固定されている。そして、上記テープ引出ガイド１６０、１６０は、スライドベース１６１、１６１がスライドレール１８０の案内スリット１８２、１８２に各別に摺動自在に支持されている。
【００２５】
上記テープ引出ガイド１６０、１６０は駆動アーム１９０、１９０によって移動される。駆動アーム１９０は、２個のアーム片１９１、１９２が回動自在に連結されて成る。すなわち、基部アーム片１９１の先端部に先端アーム片１９２の基端部が回動自在に連結されて成る。そして、メインシャーシ１１０には左右に離間して２個の同期ギヤ２００、２００が回転可能に支持されており、上記駆動アーム１９０、１９０の基部アーム片１９１、１９１の基端部が上記同期ギヤ２００、２００に固定され、先端アーム片１９２、１９２の先端部に上記テープ引出ガイド１６０、１６０のスライドベース１６１、１６１が回動可能に連結されている。
【００２６】
メインシャーシ１１０のほぼ中央部にはカムギヤ２１０が回転自在に支持されており、該カムギヤ２１０はメインシャーシ１１０の後端部に固定されたモータ２２０の駆動力をギヤ列２３０によって伝達されて回転されるようになっている。そして、カムギヤ２１０には駆動ピン２１１が突設されている。
【００２７】
スライドシャーシ１２０には上記テープカセット１０のテープリール４０、５０を回転させるためのリール台２４０、２４０その他の部材が搭載されて、カセット保持部材２５０を構成している。
【００２８】
スライドシャーシ１２０は底板１２１の両側部に側面板１２２、１２２が、また、底板１２１の前部に前面板１２３がそれぞれ立設されている。そして、底板１２１には中央部に後方へ突出したほぼ矩形をした突出部１２４が形成され、該突出部１２４の両側縁にラック２６０、２６０が形成されている。
【００２９】
また、上記突出部１２４にはカム孔２７０が形成されている。該カム孔２７０は、前側の円弧縁２７１と該前側円弧縁２７１に対向して位置した後側円弧縁２７２を有し、これら２個の円弧縁２７１、２７２の右側の側部に連続して左右方向に長いスリット状の被押圧部２７３が形成されている。
【００３０】
上記したスライドシャーシ１２０がメインシャーシ１１０に前後方向に移動自在に支持される。そして、スライドシャーシ１２０に設けられたラック２６０、２６０が上記同期ギヤ２００、２００に各別に噛合され、また、スライドシャーシ１２０のカム孔２７０内に上記カムギヤ２１０に突設された駆動ピン２１１が位置される。
【００３１】
移動フレーム１３０は、ほぼ四角い枠状をした上面部１３１の左右両側縁から下方へ側面板１３２、１３２が突設されており、側面板１３２、１３２の後端部がメインシャーシ１１０の後端部に回動自在に支持されており、捩じりコイルバネ１３３によって上方へ付勢されている。側面板１３２、１３２には前後方向に延びる案内スリット１３２ａ、１３２ａが形成されている。
【００３２】
カセットホルダー１４０は、側面板１４１、１４１の上端のほぼ前半部間が前側上面板１４２によって連結され、また、側面板１４１、１４１の後端部間が後端部上面板１４３によって連結されている。側面板１４１、１４１の下縁からは互いに近づくように受け板１４４、１４４が突設されている。
【００３３】
そして、上記したカセットホルダー１４０は上記移動フレーム１３０に前後方向に移動可能に支持されている。なお、カセットホルダー１４０を移動フレーム１３０に支持する部材の一である側面板１４１、１４１に突設された摺動ピン１４５、１４５が移動フレーム１３０の案内スリット１３２ａ、１３２ａに摺動自在に係合されている。
【００３４】
回動リンク２８０、２８０の一端部がカセットホルダー１４０の側面板１４１、１４１のうち移動フレーム１３０の側面板１３２、１３２の下縁から突出した部分に回動自在に連結されており、該回動リンク２８０、２８０の他端部が上記スライドシャーシ１１０の前端部に回動自在に支持されている。
【００３５】
次ぎに、テープカセット１０を使用しての記録再生動作について説明する。
【００３６】
移動フレーム１３０が上方に回動しカセットホルダー１４０が図４に示すイジェクト位置にある状態でテープカセット１０をカセットホルダー１４０内に挿入する（図９参照）。テープカセット１０をカセットホルダー１４０に挿入することにより、テープカセット１０は側面板１４１、１４１、上面板１４２、１４３及び受け板１４４、１４４で形成される空間内に保持され、リッドロック部材９０によるフロントリッド６０のロックが解除されて、フロントリッド６０が上方へ回動すると共にフロントリッド６０及びスライダー８０（バックリッド７０も共に）がカセットシェル２０の後方へ移動され、磁気テープ３０のマウス部２１の前面に位置した部分が開放され、且つ、マウス部２１の上方が開放される。
【００３７】
ついで、移動フレーム１３０を下方へ回動させると、これに伴ってカセットホルダー１４０も下降していき、カセットホルダー１４０が下降範囲の最下端の保持位置まで下降すると、待機位置にあるスライドシャーシ１２０に設けられたリール台２４０、２４０がリール台挿通孔２２、２２からカセットシェル２０内に挿入され、リール台２４０、２４０のリール係合軸２４０ａ、２４０ａがテープリール４０、５０のリール台係合孔４０ａ、５０ａと係合する。また、メインシャーシ１１０に設けられたテープ引出ガイド１６０、１６０、図示しないピンチローラ等がマウス部２１内に位置される。
【００３８】
なお、スライドシャーシ１２０が待機位置にあるときにおける各主要部材の位置関係は図１０に示すようになっている。
【００３９】
そして、モータ２２０が駆動して、カムギヤ２１０が平面で見て反時計回り方向、すなわち、図中矢印Ａ方向に回転する。そして、スライドシャーシ１２０が待機位置にあるとき、スライドシャーシ１２０のカム孔２７０の前側円弧縁２７１はカムギヤ２１０の駆動ピン２１１の移動軌跡に倣うように位置しているので、駆動ピン２１１がしばらくの間はスライドシャーシ１２０のカム孔２７０の前側円弧縁２７１に沿って右方へ移動し、この間はスライドシャーシは移動しない。
【００４０】
そして、駆動ピン２１１がカム孔２７０の被押圧部２７３内に位置すると、該駆動ピン２１１が被押圧部２７３の後縁を後方へ向かって押圧するので、スライドシャーシ１２０は後方へ向かって、すなわち、図中矢印Ｂ方向に移動する。図１１はスライドシャーシ１２０が後方への移動途中にある状態を示す。
【００４１】
また、スライドシャーシ１２０の後方への移動に伴って、ラック２６０、２６０が同期ギヤ２００、２００を回転させる。すなわち、左側の同期ギヤ２００は反時計回り方向に回転し、右側の同期ギヤ２００は時計回り方向に回転する。そして、同期ギヤ２００、２００の回転に伴って駆動アーム１９０、１９０がそれぞれ所定の方向に回動し、駆動アーム１９０、１９０の先端部に連結されているテープ引出ガイド１６０、１６０がスライドレール１８０のレール部１８１、１８１を後方へ向かって移動して行き（図１１参照）、該テープ引出ガイド１６０、１６０によって、磁気テープ３０がカセットシェル２０から引き出されて回転ヘッドドラム１５０に巻き付けられていく。
【００４２】
スライドシャーシ１２０が矢印Ｂ方向に移動して記録再生位置に達すると、テープ引出ガイド１６０、１６０は移動範囲の最後端に達し、磁気テープ３０は回転ヘッドドラム１５０に所定の角度巻き付けられる。なお、カムギヤ２１０はその後も矢印Ａ方向に回転され、そして、スライドシャーシ１２０が記録再生位置にあるとき、スライドシャーシ１２０のカム孔２７０の後側円弧縁２７２はカムギヤ２１０の駆動ピン２１１の移動軌跡に倣うように位置しているので、駆動ピン２１１がカム孔２７０の後側円弧縁２７２に沿ってカム孔２７０の左端部まで移動され（図１２参照）、この間のカムギヤ２１０の回転によってテープ引出ガイド１６０、１６０以外の部材が所定の位置に移動されたり或いは所定の状態にされたりして、記録再生動作のための準備が為される。
【００４３】
なお、スライドシャーシ１２０の移動に伴ってカセットホルダー１４０も移動フレーム１３０に対して移動することによってスライドシャーシ１２０と共に移動する。
【００４４】
それから、磁気テープ３０に対する記録又は再生が為される。
【００４５】
そして、磁気テープ３０に対する記録又は再生が終了すると、モータ２２０が先程とは逆に回転され、これによって、カムギヤ２１０は上方から見て時計回り方向に、すなわち、図中矢印Ｃ方向に回転する。そして、駆動ピン２１１は当初はカム孔２７０の後側円弧縁２７２に沿って右方へ移動するが、やがて、被押圧部２７３内に入って被押圧部２７３の前縁を前方へ向かって押圧するので、これによって、スライドシャーシ１２０は前方へ向かって、すなわち、図中矢印Ｄ方向に待機位置に向かって移動を開始する。
【００４６】
スライドシャーシ１２０が前方へ向かって移動すると、スライドシャーシ１２０に設けられたラック２６０、２６０が同期ギヤ２００、２００を回転させるので、駆動アーム１９０、１９０がそれぞれ所定の方向に回動し、テープ引出ガイド１６０、１６０が前方へ向かって、すなわち、テープカセット１０のマウス部２１内に向かって、移動する。
【００４７】
そして、図１１に示す状態を経て、スライドシャーシ１２０が移動範囲の前端、すなわち、待機位置に達すると、テープ引出ガイド１６０、１６０は移動範囲の前端に達し、テープカセット１０のマウス部２１内に位置し、一方のテープリール４０に余分な磁気テープ３０が巻き取られる。
【００４８】
スライドシャーシ１２０が待機位置に達しても、カムギヤ２１０はなお矢印Ｃ方向に回転を続け、カムギヤ２１０に設けられた駆動ピン２１１はスライドシャーシ１２０に設けられたカム孔２７０の前側円弧縁２７１に沿ってカム孔２７０の左端まで移動し、この間に、カムギヤ２１０によって所定の部材が所定の位置や所定の状態に戻される。
【００４９】
次いで移動フレーム１３０が上方へ回動してカセットホルダー１４０がイジェクト位置に位置される。そこで、テープカセット１０をカセットホルダー１４０から引き出す。
【００５０】
以上のようにして、テープカセット１０の記録再生装置１００への装着から磁気テープ３０に対する記録又は再生動作を経て、テープカセット１０の記録再生装置１００からの取出が為される。
【００５１】
上記した記録再生装置にあっては、モータ２２０の駆動によって移動するスライドシャーシ１２０に設けられたラック２６０、２６０によって同期ギヤ２００、２００が回転されてテープ引出ガイド１６０、１６０が移動されるので、スライドシャーシ１２０の移動とテープ引出ガイド１６０、１６０の移動のために要する部材の数が少なく、部品点数が少なくなってコストダウンに寄与すると共に機構が簡単になり、また、小型化にも寄与する。
【００５２】
また、同期ギヤ１６０、１６０を互いに離間して配置することが可能になるので、同期ギヤ１６０、１６０の配置位置の選択範囲が拡大し、そのため設計上の自由度が増大し、この点でも装置の小型化が可能になる。
【００５３】
なお、上記した実施の形態において示した各部の形状乃至構造は、何れも本発明を実施するに際して行う具体化のほんの一例を示したものに過ぎず、これらによって本発明の技術的範囲が限定的に解釈されるようなことがあってはならないものである。
【００５４】
【発明の効果】
以上に記載したところから明らかなように、本発明記録又は再生装置は、カセットシェル内にテープ状記録媒体を収納して成る記録媒体カセットに対する記録及び／又は再生を行う記録又は再生装置であって、回転ヘッドドラムを備えテープ状記録媒体に対する記録及び／又は再生を行う記録再生機構部と、記録媒体カセットを保持して上記記録再生機構部に接近しテープ状記録媒体に対する記録及び／又は再生を行う記録再生位置と記録再生機構部から離間した待機位置との間を移動するカセット保持部材と、互いに同期して移動されテープ状記録媒体をカセットシェルから引き出して上記回転ヘッドドラムに巻き付ける２個一対のテープ引出ガイドと、先端部に上記テープ引出ガイドが各別に連結され回動動作によりテープ引出ガイドを移動させる２個一対の駆動アームと、上記記録再生機構部に互いに離間して回転自在に且つ上記駆動アームの基端部に設けられ回転動作により駆動アームを回動させる２個一対の同期ギヤと、上記カセット保持部材に設けられ上記同期ギヤと各別に噛合された２個一対のラックとを備え、上記カセット保持部材の長手方向における中央部にほぼ矩形をした突出部が形成され、該突出部はその両側縁に上記２個一対のラックが形成されるとともに、その中央部にスライドシャーシ移動用のカム孔が形成され、カセット保持部材が記録媒体カセットを保持して待機位置から記録再生位置へと移動する間に上記ラックが同期ギヤを回転させることによって駆動アームを回動させてテープ引出ガイドを移動させ、該テープ引出ガイドがテープ状記録媒体をカセットシェルから引き出して上記回転ヘッドドラムに巻き付けることを特徴とする。
【００５５】
従って、本発明記録又は再生装置にあっては、従来必要であったリニアスケートアームやテープガイドスライダーが必要でなく、部品点数が減少し機構が簡単になると共に低価格で製造することができる。また、テープ引出ガイドを移動させるための駆動アームの回動支点となる基端部を互いに離間して配置することができるので、設計上の自由度が増大し、装置の小型化が可能になる。
【図面の簡単な説明】
【図１】  図２及び図３と共に本発明記録又は再生装置で使用するテープカセットの一例を示すものであり、本図は斜視図である。
【図２】  フロントリッド及びバックリッドが開蓋位置にある状態を示す斜視図である。
【図３】  図２の状態を下面側から見た斜視図である。
【図４】  図５乃至図１２と共に本発明記録又は再生装置の実施の形態を示すものであり、本図はカセットホルダーがイジェクト位置にある状態を示す概略斜視図である。
【図５】  カセットホルダーが下降位置にありカセット保持部材が待機位置にある状態を示す概略斜視図である。
【図６】  カセット保持部材が記録再生位置にある状態を示す概略斜視図である。
【図７】  回転ヘッドドラム及びテープ引出ガイド並びにその周辺の部材を示す拡大斜視図である。
【図８】  スライドシャーシの平面図である。
【図９】  イジェクト位置にあるかセットホルダーにテープカセットを挿入した状態を示す概略斜視図である。
【図１０】  カセット保持部材が待機位置にある状態を示す概略平面図である。
【図１１】  カセット保持部材が待機位置と記録再生位置との間の中間の位置にある状態を示す概略平面図である。
【図１２】  カセット保持部材が記録再生位置にある状態を示す概略平面図である。
【図１３】  図１４と共に従来の記録再生装置の一例を示すものであり、本図は概略平面図である。
【図１４】  要部の平面図である。
【符号の説明】
１０…テープカセット（記録媒体カセット）、２０…カセットシェル、３０…磁気テープ（テープ状記録媒体）、１００…記録再生装置（記録又は再生装置）、１２０…スライドシャーシ、１２４…突出部、１５０…回転ヘッドドラム、１６０…テープ引出ガイド、１７０…記録再生機構部、１９０…駆動アーム、２００…同期ギヤ、２５０…カセット保持部材、２６０…ラック、２７０…カム孔
【図１】
0004239052.tif 000002
【図２】
0004239052.tif 000003
【図３】
0004239052.tif 000004
【図４】
0004239052.tif 000005
【図５】
0004239052.tif 000006
【図６】
0004239052.tif 000007
【図７】
0004239052.tif 000008
【図８】
0004239052.tif 000009
【図９】
0004239052.tif 000010
【図１０】
0004239052.tif 000011
【図１１】
0004239052.tif 000012
【図１２】
0004239052.tif 000013
【図１３】
0004239052.tif 000014
【図１４】
0004239052.tif 000015